(57)【要約】【課題】安全性を向上させているペット用首輪を提供する。【解決手段】本考案のペット用首輪は、本体が樹脂片とゴム表皮からなり、ゴム表皮は樹脂片を完全に包覆する。堅固な樹脂片は首輪全体に形成され、部分的に首輪を露出していて、ベルトを固定する箇所とタグを取り付ける場所になっている。本体の両アーム上に複数の鎖孔を形成し、本体の末端を本体の中心に係鎖して首輪の尺寸が調節できる。首輪両端に位置し互いに対面する鎖針は、樹脂片から延伸している。鎖針は鎖孔に嵌合し、本体末端が握手の形式で固定されている。【選択図】図１
0003120038.tif 000002
【実用新案登録請求の範囲】
【請求項１】
ペット用首輪であって、
ペットのタグが取り付けられる中心開口を有し、前記中心開口両側は、第一、及び、第二アームを有し、互いに結合して、調整可能な方式で閉合することができ、前記アームは、両平面のどちらかに位置する末梢突出物と、所定数量の鎖孔と、を有する、弾性を有しながら堅固である樹脂片と、
前記首輪の堅固性が必要な例えば、前記タグ開口や前記末梢突出物や前記鎖孔の箇所以外で、所定の厚さで、前記樹脂片に延展する柔軟な表皮と、
前記首輪を穿過し、開孔を提供して、ベルトと繋がれる束環素子と、
からなることを特徴とするペット用首輪。
【請求項２】
前記タグは、発光ダイオードであることを特徴とする請求項１に記載のペット用首輪。
【請求項３】
前記タグは、GPSなどの信号受発信機であることを特徴とする請求項１に記載のペット用首輪。
【請求項４】
前記突出物は、末脛を含む針頭形状が、垂直に、前記樹脂片から延伸し、前記円形開孔からの延長ナロー孔は、前記針頭と接合し、これにより、前記アームの針頭は、同時に、前記鎖孔に鎖入され、ベルトがしっかりと留まることを特徴とする請求項１に記載のペット用首輪。
【請求項５】
前記束環素子は、両環形式で、ベース壁を有し、両側壁は、前記ベース壁から上に延伸し、且つ、上端が、前記頂壁と結合し、また、分割壁は、ベース壁と頂壁中にあり、両側壁間の橋梁となると共に、第一開孔を隔出して、首輪を束握し、第二開孔は、飼い主の特定のベルトに繋がれることを特徴とする請求項１に記載のペット用首輪。
【請求項６】
前記樹脂片は色つきで、前記表皮とは異なる色で、この二者の色の違いにより、飼い主は、首輪を調整する時の識別が容易であることを特徴とする請求項１に記載のペット用首輪。
【請求項７】
前記表皮の色は玉虫色か夜光色で、ペットの安全を守ることを特徴とする請求項６に記載のペット用首輪。
【請求項８】
ペット用首輪であって、
両側の第一、及び、第二アーム間にタグ支承物を有し、両アームは、互いに結合して、調整が可能であり、且つ、少なくとも一つのアームは、鎖孔と結合する末梢突出物を有する樹脂片と、
前記首輪の堅固性が必要な例えば、前記タグ開口や前記末梢突出物や前記鎖孔の箇所以外で、前記樹脂片に延展する柔軟な表皮と、
からなることを特徴とするペット用首輪。
【請求項９】
前記突出部は、末脛を含む針頭形状が、垂直に、前記樹脂片から延伸し、前記鎖孔は、尺寸が符合する円形の開孔を有して、前記針頭と前記末梢を受容し、前記円形開孔からの延長ナロー孔は、前記針頭と接合し、これにより、前記アームの針頭は、同時に、前記鎖孔に鎖入され、ベルトがしっかりと留まることを特徴とする請求項８に記載のペット用首輪。
【請求項１０】
前記束環素子は、両環形式で、ベース壁を有し、両側壁は、前記ベース壁から上に延伸し、且つ、上端が、前記頂壁と結合し、また、分割壁は、ベース壁と頂壁中にあり、両側壁間の橋梁となると共に、第一開孔を隔出して、首輪を束握し、第二開孔は、飼い主の特定のベルトに繋がれることを特徴とする請求項８に記載のペット用首輪。
【請求項１１】
ペット用首輪であって、
第一、及び、第二アームを有し、両アームは互いに結合して、調整を可能にし、少なくとも一つのアームは、鎖孔と結合する末梢突出物を有する樹脂片と、
前記首輪の堅固性が必要な例えば、前記タグ開口や前記末梢突出物や前記鎖孔の箇所以外で、前記樹脂片に延展する柔軟な表皮と、
からなることを特徴とするペット用首輪。
【請求項１２】
前記突出部は、末脛を含む針頭形状が、垂直に、前記樹脂片から延伸し、前記鎖孔は、尺寸が符合する円形の開孔を有して、前記針頭と前記末梢を受容し、前記円形開孔からの延長ナロー孔は、前記針頭と接合し、これにより、前記アームの針頭は、同時に、前記鎖孔に鎖入され、ベルトがしっかりと留まることを特徴とする請求項１１に記載のペット用首輪。
【請求項１３】
前記束環素子は、両環形式で、ベース壁を有し、両側壁は、前記ベース壁から上に延伸し、且つ、上端が、前記頂壁と結合し、また、分割壁は、ベース壁と頂壁中にあり、両側壁間の橋梁となると共に、第一開孔を隔出して、首輪を束握し、第二開孔は飼い主の特定のベルトに繋がれることを特徴とする請求項１１に記載のペット用首輪。
【請求項１４】
前記樹脂片は色つきで、前記表皮とは異なる色で、この二者の色の違いにより、飼い主は、首輪を調整する時の識別が容易であることを特徴とする請求項１１に記載のペット用首輪。
【請求項１５】
前記表皮の色は玉虫色か夜光色で、ペットの安全を守ることを特徴とする請求項１１に記載のペット用首輪。
【請求項１６】
前記表皮が透明である時、前記樹脂片は、色を有することを特徴とする請求項１１に記載のペット用首輪。
【請求項１７】
前記表皮が透明である時、前記樹脂片は、光線を反射して、夜間の安全性を向上することを特徴とする請求項１１に記載のペット用首輪。
【請求項１８】
前記首輪上は張力があり、ロッキンググリップを引っ張ることを特徴とする請求項１１に記載のペット用首輪。
【考案の詳細な説明】
【技術分野】
【０００１】
本考案は、ペット用首輪に関するものであって、特に、ペットの身分タグを有し、バックルを有さないペット用首輪に関するものである。
【背景技術】
【０００２】
犬等のペット用首輪は、ペットの安全を確保し、飼い主に安心をもたらしている。公知の首輪は、人用のベルトに類似しており、弾性のあるバンド、バンドの末端に縫製された金属バックルからなり、バンドのもう一端に、穴を開けて、バックルとDカンの金属部分が噛合するもので、タグなどが付けられるようになっている。このような首輪は、米国特許第４３２１８９１、及び、第６８８０４９０号で開示されている。
【０００３】
バンドの材質は、ナイロンか皮革などであるが、ナイロンと皮革は、構造上、固有の制限があり、且つ、多くの金属装置とバックルで、首輪をペットのサイズに適合させる必要がある。
【０００４】
この製造は、服飾工業が担い、製造コストも高いので、本考案で、首輪の設計と材質を変化させ、大量生産に適し、コストを抑えたペット用首輪を提供する。
【特許文献１】米国特許第４３２１８９１号
【特許文献２】米国特許第６８８０４９０号
【考案の開示】
【考案が解決しようとする課題】
【０００５】
本考案は、材質が、ゴムを塗布した樹脂で、末梢鍵前と身分タグを結合した、堅固であるが弾性を有する首輪を提供することを目的とする。
【課題を解決するための手段】
【０００６】
本考案の首輪は本体からなり、その形状は長方形で、本体は、樹脂片とゴム表皮からなり、ゴム表皮は、樹脂片を完全に被覆して、堅固な樹脂片を首輪全体に形成し、鍵前とタグの取り付け箇所は、部分的に露出している。
【０００７】
樹脂片は色つきで、表皮は、もう一種の色を有し、例えば、玉虫色か夜光色である。表皮と樹脂片の露出部分の色は対照的で、飼い主が首輪を調節する時に、調整位置を識別しやすくなっている。
【０００８】
楕円形、或いは、円形のタグは、本体中心に設置され、中心開口を有し、且つ、開口の内径周囲に、内溝を有し、タグを収容する。
【０００９】
この他、本体の両アーム上に、複数の鎖孔を形成し、首輪本体末端を、本体中心に鎖固して、首輪の大きさを調整する。例えば、各本体に五個の鎖孔を有する。鎖孔は、円形の開孔と延長したナロー孔を有し、開孔部分から、本体の末端に向かって延伸する。首輪両末端の、互いに向かい合う箇所は鎖針で、それも、樹脂片の末端に延伸である。鎖針は、第一アーム末端附近に位置し、外側に向かい、もう一つの鎖針は、第二アーム末端附近に位置し、内側に向いている。鎖針は、本体表面から垂直に延伸して伸出した平坦な末脛、及び、末脛頂端に形成された円形針頭を有する。針頭と末脛の尺寸は、針頭が円形の開孔を通過できるように形成し、且つ、末脛がナロー孔に推進する時、針頭は、ナロー孔で、本体表面と係合し、両アームを互いに結合する。
【００１０】
単独の８の字型の束環素子は、首輪上に配置されて、特定のベルトを収めると共に、そこで栓束する。束環の材質は、金属かアルミである。束環はベース壁を有し、両側壁は、ベース壁から上に延伸し、且つ、頂壁が両側壁の上端に連接している。側壁の前後辺縁は、次第に縮小し、ベース壁の幅は、頂壁より広い。分割壁は、ベース壁と頂壁中にあり、両側壁間の橋梁となると共に、第一開孔を隔出して、首輪が、第二開孔と、飼い主の特定のベルトに繋がれる。この他、Dカンを公知技術の束環と代替してもよい。
【００１１】
本首輪の設計は、犬が最も必要とする部分、柔軟性のある表皮構造、鍵前、タグを有し、故に、簡単で、流線型の外観を備えるペット用首輪を提供する。
【考案の効果】
【００１２】
本考案のペット用首輪は、樹脂のペット用首輪であり、耐久性があり、調節が可能で、バックル装置が不要である。
【００１３】
本考案の身分識別用のタグを有するペット用首輪は、製造コストを増加させない。
【考案を実施するための最良の形態】
【００１４】
以下、本考案の実施例について、図面を参照しながら説明する。
【実施例１】
【００１５】
図１は、本考案の装置のペット用首輪１０を示す図で、首輪１０は、長方形の本体１１を有し、本体１１は、通常、樹脂片１２とゴム表皮１３を含む。本体１１の第一表面１４は外表面で、第二表面１５は、第一表面１４と反対方向、即ち、首輪の裏側のことである。図１は、第二、第一表面１５、１４下の樹脂片１２構造を示している。
【００１６】
首輪構造中、堅固でなければならない部位が選択的に露出している以外、樹脂片１２は、完全に、構造の柔軟なゴム表皮１３中に包覆される。好ましい実施例では、樹脂片１２は色つきで、表皮は、異なる色で、例えば、玉虫色か夜光色である。表皮１３と樹脂片１２の露出部分の色は対照的で、使用上便利にあり、以下で詳述する。柔軟な表皮は、熱塑性がよいゴム材質を使用し、半透明で、使用者には、PPで製作したことが分かる。
【００１７】
楕円形、或いは、円形のタグ１９は、本体１１中心に設置され、中心開口１７を有し、且つ、開口１７の内径周囲に、内溝１８を有する。表皮１３は、本体１１の開口１７を包覆せず、内溝１８を露出している。内溝１８中、ペットの飼い主は、タグ１９を嵌入し、タグ上に、ペットの相関情報を記入する。このタグは、発光ダイオードで発光するか、或いは、GPS受信器の信号受発信機、或いは、ファッション性のあるものである。
【００１８】
本体１１の長軸に沿って、開口１７の両側は、等距離で、複数の鎖孔２０を形成している。本体１１の第一側辺は、第一アーム１１ａと称し、第二側辺は、第二アーム１１ｂと称する。本実施例において、アーム１１ａと１１ｂは、五個の鎖孔２０を有する。鎖孔２０において、樹脂片１２は、柔軟な材質の表皮１３が首輪全体を包覆し、平坦な表面になるような厚さを有する。鎖孔２０は、円形の開孔２１と延長したナロー孔２２を有し、開孔２１部分は、本体１１の末端に向かって延伸する。
【００１９】
鎖孔２０と周囲の表皮１３の色は対照的であるので、ペットの飼い主は、首輪が留まっているかを容易に認識できる。針鎖２３と２４は、樹脂片１２の末梢から突出する。
【００２０】
鎖孔上の相互結合の構造で、ロッキンググリップ（locking  grip）は、首輪上の張力により引っ張られる。鎖針２４は、第一アーム１１ａの第一表面１４末端附近に設置され、且つ、外側に向かい、もう一つの鎖針２３は、第二アーム１１ｂの第二表面１５末端に位置し、内側に向いている。図２を同時に参照すると、鎖針２３は、本体１１表面から垂直に延伸した平坦な末脛２５、及び、末脛２５頂端に形成された円形針頭２６を有する。針頭２６と末脛２５の尺寸は、針頭２６が円形の開孔２１を通過できるように形成し、且つ、末脛２５がナロー孔２２に推進する時、針頭２６は、ナロー孔２２で、本体表面と係合し、両アームを互いに結合する。
【００２１】
鎖針２４の使用方法も同じである。外側に向いた鎖針２４と２３は、相同の構造を有する。鎖針２４は、第一アーム１１ａに設置され、鎖針２３に面し、両アームは、相互に、握手するような形式を形成する。この構造により、首輪の使用上の安全性を向上させる。鎖針２３、２４の位置は、首輪末端が、ペットの毛やその他のものにより、ペットが飼い主の意思に反して緩むのを防止することを考慮している。
【００２２】
単独の束環素子２７は、首輪上に配置されて、特定のベルトを収めるもので、図３で示されるように、両環式の束環であり、Dカンで公知技術の束環と代替してもよい。束環素子２７はベース壁２８を有し、両側壁２９、３０は、ベース壁２８から上に延伸し、且つ、上端が、頂壁３１が両側壁に連接している。側壁２９、３０の前後辺縁は、次第に縮小し、ベース壁２８の幅は、頂壁３１より広い。分割壁３２は、ベース壁２８と頂壁３１中にあり、両側壁２９、３０間の橋梁となると共に、第一開孔３３を隔出して、首輪１０が通過し、第二開孔３４は、ペットの飼い主の特定のベルトと結合される。表皮は、一般に、熱塑性のあるゴムにより製作され、摩擦に耐えると共に、使用時に移動しない。外側の表面は、抗菌作用を有する。この他、外側表面は、香りをつけてもよい。装飾用の小物、例えば、発光物等を、外側表層内に設置してもよい。
【００２３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００２４】
【図１】本考案のペット用首輪を示した説明図である。
【図２】図１のペット用首輪の２−２線に沿った断面図である。
【図３】図１のペット用首輪の束環を示す図である。
【符号の説明】
【００２５】
１０…首輪
１１…本体
１１ａ、１１ｂ…アーム
１２…樹脂片
１３…表皮
１４…第一表面
１５…第二表面
１７…中心開口
１８…内溝
１９…タグ
２０…鎖孔
２１…開孔
２２…延長ナロー孔
２３、２４…鎖針
２５…末脛
２６…針頭
２７…束環
２８…ベース壁
２９、３０…側壁
３１…頂壁
３２…分割壁
３３…第一開孔
３４…第二開孔
【図１】
0003120038.tif 000003
【図２】
0003120038.tif 000004
【図３】
0003120038.tif 000005